(57)【要約】【課題】  冷蔵庫の運搬に使用する取手部の強度を向上させた冷蔵庫を提供すること。【解決手段】  この冷蔵庫は、冷蔵庫本体１の底部３０の前側に取り付けられる調節脚固定部４と、この調節脚固定部４に接続される取手部６とを備える。この取手部６の一端部６ａは、上記調節脚固定部４に接続される一方、この取手部６の他端部６ｂは、少なくとも上記取手部６が上方向の力を受けた状態で、上記冷蔵庫本体１の底部３０に接触する。このように、上記取手部６が上方向の力を受けたとき、上記取手部６は両持されるので、上記取手部６は曲げ変形に強くなって、上記取手部６の強度は向上する。【選択図】  図１
2005257132.tif 000002
【特許請求の範囲】
【請求項１】
冷蔵庫本体と、
一端部が上記冷蔵庫本体の底部の前側に取り付けられる一方、他端部が上記冷蔵庫本体の前方に位置すると共に調節脚を取り付けている調節脚固定部と、
一端部が上記調節脚固定部の他端部に接続される取手部と
を備え、
上記取手部の他端部は、少なくとも上記取手部が上方向の力を受けた状態で、上記冷蔵庫本体の底部に接触して、上方向への動きを抑制されることを特徴とする冷蔵庫。
【請求項２】
請求項１に記載の冷蔵庫において、
上記冷蔵庫本体の底部の前面に、孔部が設けられ、
上記取手部の他端部は、上記前面の孔部に挿入されており、
上記取手部の他端部は、少なくとも上記取手部が上方向の力を受けた状態で、上記前面の孔部の内面に接触して、上方向への動きを抑制されることを特徴とする冷蔵庫。
【請求項３】
請求項２に記載の冷蔵庫において、
上記取手部の他端部は、上記前面の孔部に挿入されると共に上方向に突出している係止部を有することを特徴とする冷蔵庫。
【請求項４】
請求項１に記載の冷蔵庫において、
上記取手部の他端部は、上記冷蔵庫本体の底部の底面の下側に位置しており、
上記取手部の他端部は、少なくとも上記取手部が上方向の力を受けた状態で、上記底面に接触して、上方向への動きを抑制されることを特徴とする冷蔵庫。
【請求項５】
請求項４に記載の冷蔵庫において、
上記冷蔵庫本体の底部の底面に、孔部が設けられ、
上記取手部の他端部は、上記底面の孔部に挿入される係止部を有することを特徴とする冷蔵庫。
【請求項６】
請求項５に記載の冷蔵庫において、
上記係止部は、上記取手部の他端が上記取手部の中央部に対して上方向に折り曲げられて、構成されていることを特徴とする冷蔵庫。
【請求項７】
請求項５に記載の冷蔵庫において、
上記係止部の前面は、この係止部の前面の上部が前方へ倒れるように、傾斜していることを特徴とする冷蔵庫。
【請求項８】
請求項１に記載の冷蔵庫において、
上記冷蔵庫本体に取り付けられる開閉可能な扉を備え、
上記取手部は、閉状態の上記扉の前面よりも、後方に位置していることを特徴とする冷蔵庫。
【発明の詳細な説明】
【技術分野】
【０００１】
この発明は、例えば、冷蔵庫の設置に使用する調節脚が取り付けられる調節脚固定部と、この調節脚固定部に接続されると共に冷蔵庫の運搬に使用する取手部とを備える冷蔵庫に関する。
【背景技術】
【０００２】
従来の冷蔵庫は、冷蔵庫を床面に設置する際に使用する調節脚が取り付けられる調節脚固定部と、この調節脚固定部に接続されると共に冷蔵庫を運搬する際に使用する取手部とを備える（特開２００１−５０６４１号公報：特許文献１参照）。
【０００３】
上記取手部は、上記冷蔵庫本体の底面の下側に位置し、上記取手部の一端部は、上記調節脚固定部に取り付けられ、上記取手部の他端部は、上記冷蔵庫本体の底面との間に隙間を有している。
【０００４】
上記取手部の他端部は、上記冷蔵庫本体に固定されたネジにて、位置決めされている場合もあれば、上記取手部の他端部は、上記ネジにて、位置決めされていない場合もある。
【０００５】
しかしながら、上記従来の冷蔵庫では、上記取手部の他端部が上記ネジにて位置決めされている場合、上記取手部を用いてこの冷蔵庫を移動するとき、上記ネジや、上記取手部におけるネジ付近の部位に、応力が集中し、上記ネジや上記取手部に損傷や変形が生じる。また、上記取手部の他端部を上記ネジにて位置決めする作業が必要になって、生産性が劣って、製造原価が高価になり、しかも、上記ネジの取り付け忘れや輸送による上記ネジの緩み等を考慮する必要が生じて、信頼性および品質が低下する。
【０００６】
一方、上記取手部の他端部が上記ネジにて位置決めされていない場合、上記取手部の他端部は自由端になる（上記取手部は片持される）ので、上記取手部を用いてこの冷蔵庫を移動するとき、上記取手部は変形し易くなる。すなわち、この取手部は、耐加重性に欠けるため、大型の冷蔵庫には使用できない。
【０００７】
また、上記取手部は、上記冷蔵庫本体の底面の下側に位置するので、この取手部を用いて、この冷蔵庫を持ち上げることは困難である。
【特許文献１】特開２００１−５０６４１号公報
【発明の開示】
【発明が解決しようとする課題】
【０００８】
そこで、この発明の課題は、冷蔵庫の運搬に使用する取手部の強度を向上すると共に、生産性を向上しかつコストを低減できる冷蔵庫を提供することにある。
【課題を解決するための手段】
【０００９】
上記課題を解決するため、この発明の冷蔵庫は、
冷蔵庫本体と、
一端部が上記冷蔵庫本体の底部の前側に取り付けられる一方、他端部が上記冷蔵庫本体の（前面よりも）前方に位置すると共に調節脚を取り付けている調節脚固定部と、
一端部が上記調節脚固定部の他端部に接続される取手部と
を備え、
上記取手部の他端部は、少なくとも上記取手部が上方向の力を受けた状態で、上記冷蔵庫本体の底部に接触して、上方向への動きを抑制されることを特徴としている。
【００１０】
ここで、前側とは、上記冷蔵庫本体の開口部に取り付けられる扉側をいい、下側とは、上記冷蔵庫本体の底面側をいう。上記冷蔵庫本体は、例えば、断熱箱体と、この断熱箱体の底面に取り付けられたケース部材とを有し、このケース部材は、例えば、凝縮機を囲うケースである。例示すると、上記ケース部材がある場合は、上記底部は、上記ケース部材に相当する。一方、上記ケース部材がない場合は、上記底部は、断熱箱体の底部に相当する。
【００１１】
この発明の冷蔵庫によれば、上記取手部の一端部は、上記調節脚固定部の他端部に接続される一方、上記取手部の他端部は、少なくとも上記取手部が上方向の力を受けた状態で、上記冷蔵庫本体の底部に接触して、上方向への動きを抑制されるので、上記取手部が上方向の力を受けたとき、上記取手部は両持され（両持梁になり）、片持ちに比べて、上記取手部は曲げ応力（曲げ変形）に強くなって、上記取手部の強度は向上する。また、上記取手部の他端部を上記冷蔵庫本体の底部に固定する必要がないので、別途固定用ビス等を用いて固定する作業が不要になって、生産性が向上し、製造原価が安価になり、しかも、固定用ビスの取り付け忘れや輸送による固定用ビスの緩み等を考慮する必要がなくて、信頼性および品質の向上を図ることができる。また、上記取手部は上記冷蔵庫本体の前方に位置するので、上記取手部を使い易くなって、利用性に優れたものになる。
【００１２】
したがって、この発明の冷蔵庫を移動するときに、上記取手部を介して上記冷蔵庫を持ち上げることで、上記冷蔵庫を安全にかつ安定して移動することができる。また、上記取手部は耐加重性に優れているので、大型の冷蔵庫を移動するのに特に好適となる。
【００１３】
また、一実施形態の冷蔵庫では、上記取手部と上記調節脚固定部とは一体であり、上記取手部の一端部は上記調節脚固定部の他端部に一体に接続されている。
【００１４】
また、一実施形態の冷蔵庫では、上記取手部と上記調節脚固定部とは別体であり、上記取手部の一端部は上記調節脚固定部の他端部に溶接やねじ等にて接続されている。
【００１５】
また、一実施形態の冷蔵庫では、上記取手部の他端部は、常時、上記冷蔵庫本体の底部に接触している。
【００１６】
また、一実施形態の冷蔵庫では、
上記冷蔵庫本体の底部の前面に、孔部が設けられ、
上記取手部の他端部は、上記前面の孔部に挿入されており、
上記取手部の他端部は、少なくとも上記取手部が上方向の力を受けた状態で、上記前面の孔部の内面に接触して、上方向への動きを抑制される。
【００１７】
この一実施形態の冷蔵庫によれば、上記取手部の他端部は、上記前面の孔部に挿入されているので、上記取手部の他端部は、上記前面の孔部に位置決めされて、上記冷蔵庫を一層安全にかつ安定して移動することができる。なお、上記底部の前面としては、凝縮機のケース等の既存のケース部材の前面を用いてもよく、新たな部材を設ける必要がなくて、部品数の減少とコストダウンを図ることができる。
【００１８】
また、一実施形態の冷蔵庫では、上記取手部の他端部は、上記前面の孔部に挿入されると共に上方向に突出している係止部を有する。
【００１９】
この一実施形態の冷蔵庫によれば、上記取手部の他端部は、上記前面の孔部に挿入されると共に上方向に突出している係止部を有するので、上記取手部の他端部は、上記前面の孔部に位置決めされて、上記冷蔵庫を一層安全にかつ安定して移動することができる。すなわち、上記取手部を持ち上げて、上記冷蔵庫を移動しているときに、上記取手部の係止部が、上記前面の孔部の近傍に係止して、上記取手部が、上記前面の孔部から抜け出るのを防止できる。
【００２０】
また、一実施形態の冷蔵庫では、
上記取手部の他端部は、上記冷蔵庫本体の底部の底面の下側に位置しており、
上記取手部の他端部は、少なくとも上記取手部が上方向の力を受けた状態で、上記底面に接触して、上方向への動きを抑制される。
【００２１】
この一実施形態の冷蔵庫によれば、上記取手部の他端部は、少なくとも上記取手部が上方向の力を受けた状態で、上記底面に接触するので、上記取手部の他端部と上記底面とを面接触させることができ、冷蔵庫の荷重を分散させて、上記冷蔵庫本体および上記取手部の損傷を防止できる。
【００２２】
また、一実施形態の冷蔵庫では、上記冷蔵庫本体の底部の底面に、孔部が設けられ、
上記取手部の他端部は、上記底面の孔部に挿入される係止部を有する。
【００２３】
この一実施形態の冷蔵庫によれば、上記取手部の他端部は、上記底面の孔部に挿入される係止部を有するので、上記取手部の他端部は、上記底面の孔部に位置決めされて、上記冷蔵庫を一層安全にかつ安定して移動することができる。上記取手部が前後方向の力を受けたときにおける上記取手部の動きおよび変形を、特に、確実に抑えることができる。
【００２４】
また、一実施形態の冷蔵庫では、上記係止部は、上記取手部の他端が上記取手部の中央部に対して上方向に折り曲げられて、構成されている。
【００２５】
この一実施形態の冷蔵庫によれば、上記係止部は、上記取手部の他端が上記取手部の中央部に対して上方向に折り曲げられて、構成されているので、上記取手部の他端部は、略Ｌ字状に形成されることになり、上記係止部を容易に形成できて、上記取手部を容易に製造できる。
【００２６】
また、一実施形態の冷蔵庫では、上記係止部の前面は、この係止部の前面の上部が前方へ倒れるように、傾斜している。
【００２７】
この一実施形態の冷蔵庫によれば、上記係止部の前面は、この係止部の前面の上部が前方へ倒れるように、傾斜しているので、上記取手部が前方向の力を受けたときにおける上記取手部の動きおよび変形を、特に、確実に抑えることができて、上記冷蔵庫を一層安全にかつ安定して移動することができる。
【００２８】
また、一実施形態の冷蔵庫では、上記冷蔵庫本体に取り付けられる開閉可能な扉を備え、上記取手部は、閉状態の上記扉の前面よりも、後方に位置している。
【００２９】
この一実施形態の冷蔵庫によれば、上記取手部は、閉状態の上記扉の前面よりも後方に位置しているので、上記取手部は、上記扉により、覆い隠されることになるので、上記取手部に足を不意にぶつけたりすることがなく、しかも、外観は良好となる。
【発明の効果】
【００３０】
この発明の冷蔵庫によれば、上記取手部の一端部は、上記調節脚固定部の他端部に接続される一方、上記取手部の他端部は、少なくとも上記取手部が上方向の力を受けた状態で、上記冷蔵庫本体の底部に接触して、上方向への動きを抑制されるので、上記取手部を介して上記冷蔵庫を持ち上げて、上記冷蔵庫を安全にかつ安定して移動することができる。
【発明を実施するための最良の形態】
【００３１】
以下、この発明を図示の実施の形態により詳細に説明する。
【００３２】
（第１の実施形態）
図１は、この発明の冷蔵庫の一実施形態である斜視図を示している。この冷蔵庫は、冷蔵庫本体１と、この冷蔵庫本体１の底部３０の底面１１の前側に取り付けられる調節脚固定部４と、この調節脚固定部４に接続される取手部６とを備える。なお、図１では上記冷蔵庫本体１の右側を示しているが、上記調節脚固定部４と上記取手部６とは、上記冷蔵庫本体１の左右に一対設けられている。
【００３３】
上記冷蔵庫本体１は、前面に開口部１０を有し、この開口部１０を開閉するように、上記冷蔵庫本体１に（図示しない）扉（図３中の扉７）が取り付けられている。
【００３４】
上記取手部６および上記調節脚固定部４は、鉄板等の部材からなる。上記取手部６と上記調節脚固定部４とは一体であり、もしくは、上記取手部６と上記調節脚固定部４とは別体であって溶接やねじ等にて接続される。
【００３５】
上記調節脚固定部４の一端部４ａは、上記冷蔵庫本体１の底部３０の底面１１の前側に取り付けられる。一方、上記調節脚固定部４の他端部４ｂは、上記冷蔵庫本体１の前面よりも前方に位置する。
【００３６】
上記調節脚固定部４の一端部４ａは、下向きの一対のフランジを有し、この一対のフランジの間に、ローラ３が取り付けられる。このローラ３を用いて、冷蔵庫を床面において容易に移動させることができる。
【００３７】
上記調節脚固定部４の他端部４ｂは、上下方向に貫通したネジ孔を有し、このネジ孔に、調節脚５が螺進退自在に取り付けられている。この調節脚５を用いて、冷蔵庫を水平に保持して転倒を防止する。
【００３８】
上記取手部６の一端部６ａは、上記調節脚固定部４の他端部４ｂに接続される。一方、上記取手部６の他端部６ｂは、上記冷蔵庫本体１の底部３０に重なるように、上記底部３０の内部に位置し、少なくとも上記取手部６が上方向の力を受けた状態で、上記冷蔵庫本体１の底部３０に接触して、上方向への動きを抑制される。
【００３９】
具体的に述べると、上記取手部６は、上記調節脚固定部４の他端部４ｂから上記冷蔵庫本体１の内側へ伸びている左右方向の第１辺部６１と、この第１辺部６１に略垂直に連結されると共に上記冷蔵庫本体１の底部３０側へ伸びている前後方向の第２辺部６２とを備える。すなわち、上記第１辺部６１は、上記取手部６の上記一端部６ａを含み、上記第２辺部６２は、上記取手部６の上記他端部６ｂを含む。
【００４０】
上記取手部６は、略Ｌ字状に形成され、上向きの一対のフランジを有する。このように、上記取手部６を下側から握りやすくなって、使い勝手がよくなる。また、上記取手部６は上記冷蔵庫本体１の前方に位置するので、上記取手部６を使い易くなって、利用性に優れたものになる。
【００４１】
上記冷蔵庫本体１の底部３０は、ケース部材２である。すなわち、上記冷蔵庫本体１は、断熱箱体と、この断熱箱体の底面に取り付けられたケース部材２とを有する。このケース部材２としては、凝縮機のケース等の既存のケース部材を用いてもよく、新たな部材を設ける必要がなくて、部品数の減少とコストダウンを図ることができる。
【００４２】
上記ケース部材２の前面２０には、孔部２１を有し、この孔部２１に、上記取手部６の他端部６ｂが、挿入されている。なお、上記ケース部材２の代わりに、上記底部３０として、化粧板や支持部材等を用いてもよい。
【００４３】
上記構成の冷蔵庫によれば、この冷蔵庫を移動するときに、上記取手部６を介して上記冷蔵庫を持ち上げることで、上記取手部６が上方向の力を受けて、上記取手部６の一端部６ａは、上記調節脚固定部４の他端部４ｂに接続される一方、上記取手部６の他端部６ｂは、上記冷蔵庫本体１の底部３０に接触し上方向への動きを抑制されて、上記取手部６は両持される（両持梁になる）。
【００４４】
具体的に述べると、上記取手部６に上向きの力がかかると、上記取手部６の他端部６ｂは、上記底部３０の前面２０の孔部２１の内面に接触して、上記取手部６の変形が抑えられる。さらに、上記取手部６に上向きの力がかかると、上記取手部６の他端部６ｂは、上記前面２０の孔部２１の奥側に当接して、上記取手部６の変形が防止できる。なお、上記前面２０の上記孔部２１の大きさは、上記取手部６の弾性変形範囲内の大きさである。
【００４５】
したがって、上記取手部６は曲げ応力（曲げ変形）に強くなって、上記取手部６の強度は向上し、上記冷蔵庫を安全にかつ安定して移動することができる。また、上記取手部６は耐加重性に優れているので、大型の冷蔵庫を移動するのに特に好適となる。
【００４６】
また、上記取手部６の他端部６ｂを上記冷蔵庫本体１の底部３０に固定する必要がないので、別途固定用ビス等を用いて固定する作業が不要になって、生産性が向上し、製造原価が安価になり、しかも、固定用ビスの取り付け忘れや輸送による固定用ビスの緩み等を考慮する必要がなくて、信頼性および品質の向上を図ることができる。
【００４７】
（第２の実施形態）
図２と図３は、この発明の他の実施形態を示している。以下、図１に示す上記第１の実施形態と相違する点を説明する。
【００４８】
図２と図３に示すように、冷蔵庫本体１の底部３０には、図１のケース部材２がなく、上記取手部６の他端部６ｂは、上記底部３０の底面１１の下側に位置している。また、上記底部３０の底面１１に、孔部１２が設けられている。取手部６の他端部６ｂは、上記冷蔵庫本体１の孔部１２に挿入される係止部６３ａを有する。具体的に述べると、上記係止部６３ａは、上記取手部６の他端が上記取手部６の中央部に対して上方向と横方向とに順に２段階に折り曲げられて、構成されている。
【００４９】
そして、上記取手部６を介して冷蔵庫を持ち上げることで、上記取手部６は上方向の力を受けて、上記取手部６の他端部６ｂは、上記係止部６３ａを除いた部分で、上記冷蔵庫本体１の底部３０の底面１１に直接に接触して、上記取手部６は両持される。なお、上記冷蔵庫本体１の底面１１は、水平形状でなく、凸形状であり、上記取手部６は、上記底面１１の凸面に接触している。また、上記底部３０の底面１１としては、例えば、断熱箱体の底面であったり、断熱箱体の底面に取り付けられた鉄板等であってもよい。
【００５０】
上記構成の冷蔵庫によれば、上記取手部６の他端部６ｂと、上記底部３０の底面１１とを、面接触させることができ、冷蔵庫の荷重を分散させて、上記冷蔵庫本体１および上記取手部６の損傷を防止できる。なお、上記取手部６の他端部６ｂと上記底部３０の底面１１との接触面積を大きくすることで、上記底部３０の底面１１に上記取手部６の他端部６ｂが当接する力を、分散できる。
【００５１】
また、上記係止部６３ａは、上記底面１１の孔部１２に位置決めされるので、上記冷蔵庫を一層安全にかつ安定して移動することができる。上記取手部６が前後方向の力を受けたときにおける上記取手部６の動きおよび変形を、特に、確実に抑えることができる。
【００５２】
また、上記取手部６は、閉状態の上記扉７の前面よりも後方に位置しており、上記取手部６は、上記扉７により、覆い隠されることになるので、上記取手部６に足を不意にぶつけたりすることがなく、しかも、外観は良好となる。
【００５３】
（第３の実施形態）
図４は、この発明の別の実施形態を示している。以下、図１に示す上記第１の実施形態と相違する点を説明する。
【００５４】
図４に示すように、取手部６の他端部６ｂは、上記冷蔵庫本体１の前面２０の孔部２１に挿入される係止部６３ｂを有する。具体的に述べると、上記係止部６３ｂは、上記取手部６の他端部６ｂの中途位置に上向きに突出されて、形成されている。
【００５５】
そして、上記取手部６を介して冷蔵庫を持ち上げることで、上記取手部６は上方向の力を受けて、上記取手部６の他端部６ｂは、上記係止部６３ｂを除いた部分で、上記冷蔵庫本体１の前面２０の孔部２１の内面に直接に接触して、上記取手部６は両持される。
【００５６】
また、上記係止部６３ｂは、上記冷蔵庫本体１の前面２０の孔部２１の近傍に係止して、上記取手部６が、上記前面２０の孔部２１から抜け出るのを防止できる。このように、上記冷蔵庫を一層安全にかつ安定して移動することができる。上記取手部６が前後方向の力を受けたときにおける上記取手部６の動きおよび変形を、特に、確実に抑えることができる。
【００５７】
（第４の実施形態）
図５は、この発明のさらに他の実施形態を示している。以下、図２に示す上記第２の実施形態と相違する点を説明する。
【００５８】
図５に示すように、この係止部６３ｃは、取手部６の他端がこの取手部６の中央部に対して上方向に折り曲げられて、構成されている。すなわち、上記取手部６の他端部６ｂは、略Ｌ字状に形成されている。
【００５９】
このように、上記係止部６３ｃを容易に形成できて、上記取手部６を容易に製造できる。なお、その他の構成、作用および効果は、図２に示す上記第２の実施形態と同じであるので、説明を省略する。
【００６０】
（第５の実施形態）
図６は、この発明のさらに別の実施形態を示している。以下、図２に示す上記第２の実施形態と相違する点を説明する。
【００６１】
図６に示すように、この係止部６３ｄは、取手部６の他端が取手部６の中央部に対して上方向に折り曲げられて、構成されている。この係止部６３ｄの前面は、この係止部６３ｄの前面の上部が前方へ倒れるように、傾斜している。
【００６２】
このように、上記係止部６３ｄの前面は、傾斜しているので、上記取手部６が前方向の力を受けたときにおける上記取手部６の動きおよび変形を、特に、確実に抑えることができて、冷蔵庫を一層安全にかつ安定して移動することができる。なお、その他の構成、作用および効果は、図２に示す上記第２の実施形態と同じであるので、説明を省略する。
【００６３】
なお、この発明は、上述の実施形態に限定されない。例えば、図示しないが、上記取手部６の他端部６ｂは、上記ケース部材２の底面の下側に位置しており、上記取手部６の他端部６ｂは、少なくとも上記取手部６が上方向の力を受けた状態で、上記ケース部材２の底面に接触して、上方向への動きを抑制されるようにしてもよい。
【図面の簡単な説明】
【００６４】
【図１】本発明の冷蔵庫の第１実施形態を示す縦断面図である。
【図２】本発明の冷蔵庫の第２実施形態を示す縦断面図である。
【図３】図２のＡ方向からみた矢視図である。
【図４】本発明の冷蔵庫の第３実施形態を示す縦断面図である。
【図５】本発明の冷蔵庫の第４実施形態を示す縦断面図である。
【図６】本発明の冷蔵庫の第５実施形態を示す縦断面図である。
【符号の説明】
【００６５】
１    冷蔵庫本体
２    ケース部材
４    調節脚固定部
４ａ  一端部
４ｂ  他端部
５  調節脚
６    取手部
６ａ  一端部
６ｂ  他端部
６３ａ，６３ｂ，６３ｃ，６３ｄ  係止部
７    扉
１１  底面
１２  （底面の）孔部
２０  前面
２１  （前面の）孔部
３０  底部
【図１】
2005257132.tif 000003
【図２】
2005257132.tif 000004
【図３】
2005257132.tif 000005
【図４】
2005257132.tif 000006
【図５】
2005257132.tif 000007
【図６】
2005257132.tif 000008